(57)【要約】【課題】  ユーザーに負担を掛けることなく、記録済みであることを確実に表示することができる記録テープカートリッジの提供を課題とする。【解決手段】  記録テープＴが巻装された単一のリール２０を回転可能に収容するケース１２と、記録テープＴへの記録可を表示する状態と、記録不可を表示する状態とに変位可能に構成され、少なくともドライブ装置に記録テープＴへの記録可・不可を認識させるためのライトプロテクト８０と、を備えた記録テープカートリッジ１０において、ライトプロテクト８０を、記録不可を表示する状態へ変位した後、記録可を表示する状態へ変位不能となるように構成し、ドライブ装置による記録終了後、そのドライブ装置によって記録不可を表示する状態へ変位させる。【選択図】      図４
2006048758.tif 000002
【特許請求の範囲】
【請求項１】
記録テープが巻装された単一のリールを回転可能に収容するケースと、
前記記録テープへの記録可を表示する状態と、記録不可を表示する状態とに変位可能に構成され、少なくともドライブ装置に前記記録テープへの記録可・不可を認識させるためのライトプロテクトと、
を備えた記録テープカートリッジにおいて、
前記ライトプロテクトは、記録不可を表示する状態へ変位した後、記録可を表示する状態へ変位不能となるように構成され、ドライブ装置による前記記録テープへの記録終了後、該ドライブ装置によって記録不可を表示する状態へ変位させられることを特徴とする記録テープカートリッジ。
【発明の詳細な説明】
【技術分野】
【０００１】
本発明は、主にコンピューター等の記録再生媒体として使用される磁気テープ等の記録テープをケース内に収容してなる記録テープカートリッジに関する。
【背景技術】
【０００２】
従来から、コンピューター等のデータ記録再生媒体として使用されている磁気テープ等の記録テープを単一のリールに巻装し、そのリールをケース内に収容してなる記録テープカートリッジが知られている。この記録テープの先端には、リーダーピンやリーダーテープ、リーダーブロックといったリーダー部材が設けられており、そのリーダー部材をドライブ装置側に設けられた引出手段が記録テープカートリッジの開口から引き出し、それに固着された記録テープをドライブ装置側の巻取リールに巻装させるようになっている。
【０００３】
また、記録テープカートリッジの下面に穿設された開口から露出しているリールの下面中央にはリールギアが環状に刻設されており、ドライブ装置側の回転シャフトに設けられた駆動ギアがそのリールギアに噛合することにより、リールが回転駆動するように構成されている。したがって、記録テープカートリッジのリール及びドライブ装置の巻取リールを同期して回転させることにより、記録テープにデータを記録したり、記録テープに記録されたデータの再生ができる。
【０００４】
このような構成の記録テープカートリッジには、１度書き込んだら、読み込み専用となって上書きできないようになるＷＯＲＭ（Ｗｒｉｔｅ  Ｏｎｃｅ  Ｒｅａｄ  Ｍａｎｙ）カートリッジがある。このＷＯＲＭカートリッジは、上書きされることがないため、重要なデータが記録されることが多く、ＷＯＲＭカートリッジに既に情報の記録がなされたか否かは、例えばドライブ装置が記録テープカートリッジに内設されたメモリーボードにアクセスすることによって判別される（例えば、特許文献１、特許文献２参照）。
【０００５】
しかしながら、このような構成であると、そのＷＯＲＭカートリッジが既に記録済みであるか否かは、いちいちドライブ装置に装填しなければ判別することができないため、使い勝手がよくないという問題がある。また、メモリーボードを使用する分、コストアップとなる問題もあった。そのため、従来では、記録テープへの記録可を表示する位置と、記録不可を表示する位置とに移動可能に構成されたライトプロテクトを設け、ユーザーやドライブ装置等に記録テープへの記録可・不可を認識させるようにしていた。
【０００６】
しかしながら、このようなライトプロテクトを設けても、そのライトプロテクトを操作する（移動させる）のはユーザーであるため、ライトプロテクトを操作し忘れる懸念があった。すなわち、記録済みのＷＯＲＭカートリッジにおいて、そのライトプロテクトを操作し忘れたために、誤ってドライブ装置に装填してしまうことがあった。また、ライトプロテクトを操作する作業がユーザーへの負担となる問題もあった。
【特許文献１】特開２０００−２６８４４３号公報
【特許文献２】特開２００３−１２３３４２号公報
【発明の開示】
【発明が解決しようとする課題】
【０００７】
そこで、本発明は、ユーザーに負担を掛けることなく、記録済みであることを確実に表示することができる記録テープカートリッジを得ることを目的とする。
【課題を解決するための手段】
【０００８】
上記の目的を達成するために、本発明に係る請求項１に記載の記録テープカートリッジは、記録テープが巻装された単一のリールを回転可能に収容するケースと、前記記録テープへの記録可を表示する状態と、記録不可を表示する状態とに変位可能に構成され、少なくともドライブ装置に前記記録テープへの記録可・不可を認識させるためのライトプロテクトと、を備えた記録テープカートリッジにおいて、前記ライトプロテクトが、記録不可を表示する状態へ変位した後、記録可を表示する状態へ変位不能となるように構成され、ドライブ装置による前記記録テープへの記録終了後、該ドライブ装置によって記録不可を表示する状態へ変位させられることを特徴としている。
【０００９】
請求項１の発明では、ライトプロテクトが、記録不可を表示する状態へ変位した後、記録可を表示する状態へ変位不能となるように構成され、ドライブ装置による記録テープへの記録終了後、そのドライブ装置によって、記録不可を表示する状態へ変位させられるので、ユーザーにライトプロテクトを操作させるような負担を掛ける不具合がなく、記録済みであることが確実に表示される。
【００１０】
また、そのライトプロテクトは、記録不可を表示する状態から、記録可を表示する状態へは戻れないので、ユーザーによる不正行為を防止することができる。つまり、ユーザーがライトプロテクトを不正に操作して記録可を表示する状態にしてしまうことを確実に防ぐことができる。したがって、記録テープカートリッジにおけるセキュリティーを向上させることができる。
【発明の効果】
【００１１】
以上、何れにしても本発明によれば、ユーザーに負担を掛けることなく、記録済みであることを確実に表示することができる記録テープカートリッジを提供することができる。
【発明を実施するための最良の形態】
【００１２】
以下、本発明の最良な実施の形態を図面に示す実施例に基づいて詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。
【００１３】
図１、図２で示すように、記録テープカートリッジ１０は、略矩形箱状のケース１２を有している。このケース１２は、ＰＣ等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やねじ止め等によって接合されて構成されている。
【００１４】
ケース１２の内部には、リール２０が１つだけ回転可能に収容されている。このリール２０は、軸心部を構成する有底円筒状のリールハブ２２と、その上端部に設けられる上フランジ２４とが一体に成形され、下フランジ２６がリールハブ２２の下端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１５】
また、ケース１２の右壁１２Ｂには、リール２０に巻装された記録テープＴを引き出すための開口１８が形成されており、この開口１８から引き出される記録テープＴの自由端部には、ドライブ装置の引出部材によって係止（係合）されつつ引き出し操作されるリーダーピン３０が固着されている。
【００１６】
リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００１７】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００１８】
また、ピン保持部３６の近傍には、板ばね３８が固定配置されるようになっており、この板ばね３８の二股状の先端部がリーダーピン３０の上下両端部３４にそれぞれ係合してリーダーピン３０をピン保持部３６に保持するようになっている。なお、リーダーピン３０がピン保持部３６に出入する際には、板ばね３８の先端部は適宜弾性変形してリーダーピン３０の移動を許容する構成である。
【００１９】
また、下ケース１６の中央部には、リール２０のリールギア（図示省略）を外部に露出するためのギア開口４０が設けられており、リール２０はリールギアがドライブ装置の駆動ギア（図示省略）に噛合されて、ケース１２内で回転駆動されるようになっている。そして、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００２０】
また、下ケース１６の右後部には、２本の支持リブ４４が左右方向に所定の間隔で立設されており、その支持リブ４４と前後方向に所定の間隔を隔てて、２本の押さえリブ４６が左右方向に所定の間隔で立設されている。支持リブ４４の前面は所定角度傾斜した傾斜面４４Ａとされ、この支持リブ４４（傾斜面４４Ａ）と押さえリブ４６との間に、メモリーボードＭが所定角度傾斜した状態で配置（保持）されるようになっている。
【００２１】
これは、ケース１２の下面（底面）側からアクセスするドライブ装置と、後壁（背面）側からアクセスするライブラリー装置（複数の記録テープカートリッジ１０を収容し、ドライブ装置に対して自動的に装填・取出をする装置）の両方に対応可能となるようにするためである。なお、メモリーボードＭには、各記録テープカートリッジ１０毎に、その各種情報が記憶されており、ドライブ装置やライブラリー装置と通信することにより、情報の読み取りや、必要に応じて情報の書き込み（書き換え）ができるようになっている。
【００２２】
また、開口１８は、ドア５０によって開閉されるようになっている。このドア５０は、図３で詳細に示すように、開口１８を閉塞可能な大きさの矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２３】
また、ドア５０の後端部中央には、シャフト５２が突設されており、そのシャフト５２には、コイルばね５８が嵌挿されている。そして、シャフト５２の後端には、そのコイルばね５８を脱落防止とする拡開部５４が形成されている。また、下ケース１６には、そのシャフト５２に嵌挿されたコイルばね５８の後端を係止する係止突起６２を有する支持台６０が突設されている。
【００２４】
したがって、ドア５０は、シャフト５２が支持台６０上に摺動自在に支持されるとともに、コイルばね５８の後端が係止突起６２に係止されることにより、そのコイルばね５８の付勢力によって、常時開口１８の閉塞方向へ付勢される構成である。なお、開口１８の開放時、シャフト５２を支持する支持台６６を支持台６０の後方側に更に突設しておくことが好ましい。
【００２５】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっており、これによって、ドア５０がコイルばね５８の付勢力に抗して開放される構成になっている。
【００２６】
以上のような記録テープカートリッジ１０において、次に、その記録テープカートリッジ１０への記録可・不可が設定されるライトプロテクト８０について詳細に説明する。図２、図４乃至図７で示すように、下ケース１６の左後部には、平面視略「Ｌ」字状の防塵壁４８が立設されており、上ケース１４の左後部にも、その防塵壁４８と同等の防塵壁（図示省略）が立設されている。そして、上ケース１４と下ケース１６を接合したときに、下ケース１６側の防塵壁４８と上ケース１４側の防塵壁が互いに当接し、これら防塵壁４８と左壁１２Ｃ及び後壁１２Ｄとで、ライトプロテクト８０を設置するエリアＳが形成されるようになっている。
【００２７】
その設置エリアＳにおける下ケース１６の後壁１２Ｄには、開口７０が穿設されており、開口７０の左右辺縁部には、内部（前方）に向かうように約９０度曲折された係止壁７２、７４が形成されている。左側の係止壁７２の先端は、平面視で右側の係止壁７４に対向する面が所定角度のテーパー面７２Ａとされている。
【００２８】
また、その設置エリアＳ内における下ケース１６の底板１６Ａには、各係止壁７２、７４に対し、所定の間隙を有して対向する押さえピン７６、７８が突設されており、ライトプロテクト８０は、係止壁７２、７４と押さえピン７６、７８との間で、一方向（左方向）にのみ移動可能となるように狭持されている。
【００２９】
ライトプロテクト８０は、所定厚さの矩形板状に形成され、その略中央には、ドライブ装置の操作部材９０が係合する操作窓８２が矩形状に穿設されている。そして、その操作窓８２よりも左側の壁部（以下「係合壁」という）８４の板厚は、平面視で操作窓８２側が高く、左端部８６側が低くなるような傾斜状に形成されている。
【００３０】
この左端部８６は、ライトプロテクト８０の長手方向（左右方向）に所定幅を有するとともに、後壁１２Ｄ側に向かって所定高さ突出しており、左側の係止壁７２に外側（左壁１２Ｃ側）から係合して、ライトプロテクト８０の右方向への移動を規制するようになっている。
【００３１】
なお、操作窓８２よりも右側の壁部（以下「ストッパー壁」という）８８の板厚は、係合壁８４の最大板厚と略同等の板厚に形成され、そのストッパー壁８８は、右側の係止壁７４に外側（右壁１２Ｂ側）から係合して、ライトプロテクト８０の左方向への移動を規制するようになっている。
【００３２】
したがって、このライトプロテクト８０は、次のように移動する。まず、記録可を表示する状態のときには、図４で示す位置にいる。すなわち、左側の係止壁７２に左端部８６が外側から係合して、平面視テーパー状に形成された係合壁８４の後面（後壁１２Ｄに対向する面）８４Ａが開口７０から露出している。なお、このとき、操作窓８２の左側も所定間隔だけ（操作部材９０の先端が挿通可能な程度）開口７０から露出している。
【００３３】
そして、ドライブ装置による記録テープＴへの情報の記録が終了したら、図５で示すように、ドライブ装置の操作部材９０が開口７０に進入し、その開口７０から露出している操作窓８２の左側に挿通される。そして、図６で示すように、その状態のまま操作部材９０が左方向に移動することにより、ライトプロテクト８０を左方向に移動させる。
【００３４】
このとき、係止壁７２の先端にはテーパー面７２Ａが形成されているので、そのテーパー面７２Ａと係合壁８４の平面視テーパー状に形成された後面８４Ａとが摺接しつつ、押さえピン７６や係止壁７２が適宜弾性変形することにより、ライトプロテクト８０の左方向への移動を許容する。
【００３５】
そして、係止壁７２が係合壁８４の最大板厚とされた右端部８５を乗り越えると、押さえピン７６や係止壁７２の復元力により、その係止壁７２が係合壁８４の右端部８５に係止され、かつストッパー壁８８が右側の係止壁７４に係止される。これにより、ライトプロテクト８０は、その操作窓８２が開口７０と連通するように一致し、記録不可を表示する状態とされる。なお、ライトプロテクト８０が記録不可状態を表示する位置に係止されたら、図７で示すように、ドライブ装置の操作部材９０は開口７０から退避する。
【００３６】
また、このライトプロテクト８０は、一旦記録不可を表示する状態に変位されると、記録可を表示する状態に変位不能となるように構成されている。つまり、このライトプロテクト８０を手動で右方向へ移動させようとしても、左側の係止壁７２に係合壁８４の右端部８５が係止されているので、その移動が不可能となっている。したがって、ユーザーがライトプロテクト８０を不正に記録可となる右方向へ移動させようとしても、それができないため、記録テープカートリッジ１０のセキュリティーを向上させることができる。
【００３７】
何れにしても、このライトプロテクト８０の移動は、ドライブ装置の操作部材９０によって行われるので、ユーザーへの負担や操作し忘れるような不具合がなく、確実に記録不可状態が表示される。また、このライトプロテクト８０の位置をドライブ装置側が認識するので、誤ってドライブ装置に装填されても上書きされるのが確実に防止される。よって、ＷＯＲＭカートリッジに最適な構成と言える。
【００３８】
以上のような構成の記録テープカートリッジ１０において、次に、その作用について説明する。上記構成の記録テープカートリッジ１０では、不使用時（保管時や運搬時等）には、開口１８がドア５０によって閉塞されている。そして、記録テープＴを使用する際には、前壁１２Ａを先頭にして記録テープカートリッジ１０を矢印Ａ方向に沿って、ドライブ装置内へ装填する。
【００３９】
すると、まず、そのドライブ装置側に設けられた開閉部材（図示省略）が、ドア５０の凸部５６に係合する。そして、この状態で、記録テープカートリッジ１０が更に矢印Ａ方向へ移動すると、開閉部材が凸部５６をコイルばね５８の付勢力に抗しつつ相対的に後方へ移動させる。すると、その凸部５６が突設されているドア５０は、右壁１２Ｂに沿って溝部６４内を後側へ摺動し、開口１８を開放する。
【００４０】
こうして、記録テープカートリッジ１０がドライブ装置に所定深さ装填され、開口１８が完全に開放されると、ドライブ装置の位置決め手段（図示省略）によって、記録テープカートリッジ１０がドライブ装置内における所定位置に精確に位置決めされ、ドア５０のそれ以上の摺動（略後方への移動）が規制される。
【００４１】
ここで、この記録テープカートリッジ１０がＷＯＲＭカートリッジであるとすると、ドライブ装置がメモリーボードＭにアクセスすることによって、その情報を検出する。すなわち、この記録テープカートリッジ（ＷＯＲＭカートリッジ）１０は、１度書き込んだら上書きされないカートリッジであることがドライブ装置に認識される。また、このとき、ライトプロテクト８０は、係合壁８４の後面８４Ａが開口７０から露出する位置にあり（図４参照）、記録可であることがドライブ装置に認識される。
【００４２】
そして、開放された開口１８から、ドライブ装置の引出部材（図示省略）がケース１２内に進入し、ピン保持部３６に位置決め保持されたリーダーピン３０を把持して引き出す。なお、このとき、記録テープカートリッジ１０はドライブ装置内において精確に位置決めされているので、引出部材は確実にリーダーピン３０を把持できる。
【００４３】
開口１８から抜き出されたリーダーピン３０は図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録が行われる。
【００４４】
すなわち、ドライブ装置がメモリーボードＭから読み取った情報により、全て未記録か又は一部未記録領域ありかが判断され、記録テープＴにおける所定位置から情報の記録が行われる。なお、ドライブ装置がメモリーボードＭから読み取った情報により、全て記録済み（追記不能）と判断されるか、又はライトプロテクト８０が記録不可位置にあるときには、その記録テープカートリッジ１０は再生のみ実行可能とされ、記録しようとした場合には、例えば自動的にドライブ装置から排出されるなどの処理が実行される。
【００４５】
記録テープＴへの情報の記録が終了した記録テープカートリッジ１０をドライブ装置から排出する際には、まず、記録テープＴがリール２０に巻き戻されて、リーダーピン３０がピン保持部３６に保持される。そして、この記録テープカートリッジ１０への追記が不能とされた場合には、図５で示すように、ドライブ装置の操作部材９０が開口７０から進入し、ライトプロテクト８０の操作窓８２に挿通される。
【００４６】
すなわち、この記録テープカートリッジ１０はＷＯＲＭカートリッジであるため、既に情報が記録済みである場合（追記不能である場合）には、情報の記録を行う目的でドライブ装置に装填されないようにした方が、上書きされるのを確実に防止する上で好ましい。そのため、ライトプロテクト８０を、記録不可を表示する状態にドライブ装置によって変位させ、ユーザー及びドライブ装置に記録不可であることを確実に認識させるようにする。
【００４７】
つまり、操作部材９０を左方向へ移動させ、ライトプロテクト８０を左方向へ移動させる。すると、図６で示すように、ライトプロテクト８０は、その係合壁８４の後面８４Ａが係止壁７２のテーパー面７２Ａに摺接しつつ移動し、係止壁７２が右端部８５を乗り越えて、その右端部８５に係止される。そして、それと共に、ストッパー壁８８が係止壁７４に係止される。これにより、ライトプロテクト８０は、その操作窓８２が開口７０と一致する（連通する）記録不可位置に係止される。なお、ドライブ装置の操作部材９０は、ライトプロテクト８０の移動が完了すると、開口７０から退避する（図７参照）。
【００４８】
こうして、ライトプロテクト８０が記録不可を表示する位置に移動したら、ドライブ装置の記録テープカートリッジ１０に対する位置決め手段が解除され、記録テープカートリッジ１０は、図示しないイジェクト機構によって、矢印Ａ方向とは反対方向に移動される。この移動に伴って、ドア５０は、コイルばね５８の付勢力によって開口１８の閉塞方向へ摺動し、開口１８を完全に閉塞する（初期状態に復帰する）。そして、開口１８が閉塞された記録テープカートリッジ１０は、ドライブ装置内から完全に排出される。
【００４９】
ここで、ドライブ装置から取り出した記録テープカートリッジ１０のライトプロテクト８０は、そのドライブ装置によって自動的に記録不可位置へ移動しているので、ライトプロテクト８０の操作をし忘れたり、ユーザーに負担が掛かるような不具合はなく、記録不可であることが確実に表示される。しかも、このライトプロテクト８０は、一旦記録不可位置へ移動すると、記録可位置へは戻れないように構成されているので、ユーザーによる不正行為も確実に防止される。
【００５０】
次に、このようなライトプロテクト８０の変形例を説明する。図８で示すライトプロテクト９２は、後壁１２Ｄの内面に当接配置される板状の基部９４と、その基部９４前面の略中央から前方に向かって垂直に突設された係合ピン９６とで構成されており、設置エリアＳ内で前後方向に移動可能となるように、図示しないリブ等で支持されている。そして、係合ピン９６の先端には、前端が先細りの略円錐台形状となる係止部９８が形成されており、係止部９８の前端の径は、係合ピン９６の径以下とされ、係止部９８の後端の径は、係合ピン９６の径よりも大径とされている。
【００５１】
一方、防塵壁４８には、その係止部９８が挿通可能な孔部１００が穿設されている。この孔部１００の径は、係止部９８の前端の径よりも大きく、後端の径よりも若干小さく形成されている。また、後壁１２Ｄには、ライトプロテクト９２の基部９４を前方に向かって押圧するための操作部材１０４が挿通される孔部１０２が穿設されている。
【００５２】
したがって、このライトプロテクト９２は、次のように移動する。すなわち、記録可状態を表示するときには、基部９４が後壁１２Ｄの内面に当接して孔部１０２を閉塞している。なお、このとき、係止部９８は、その前端が孔部１００に若干挿通されている。そして、ドライブ装置による記録テープＴへの情報の記録が終了したら、操作部材１０４が孔部１０２に挿通され、基部９４を前方に向かって押圧する。すると、ライトプロテクト９２は、前方に向かってスライドし、孔部１００に係止部９８及び係合ピン９６が挿通される。
【００５３】
ここで、係止部９８は略円錐台形状であり、係止部９８及び孔部１００の径が上記のように形成されているので、係合ピン９６の前方への移動によって強引に孔部１００に挿通される。そして、係止部９８の後端が孔部１００を前方へ抜けると、その孔部１００周りの防塵壁４８前面に後端が係止されるので、後方へ抜けなくなり、ライトプロテクト９２は、元の状態（位置）には戻れなくなる。
【００５４】
これにより、記録テープカートリッジ１０における記録不可状態が表示され、ユーザー及びドライブ装置に記録不可であることが認識される。また、このような構成のライトプロテクト９２も、再度記録可状態へ移動させることができないので、ユーザーによる不正行為が確実に防止される。特に、孔部１０２の径をピンホール程度の小径にすると、手指では押しづらくなるので、心理的にも不正行為の防止になる。
【００５５】
また、図９で示すライトプロテクト９３は、ライトプロテクト９２から係止部９８を除き、係合ピン９６を延長した形状とされており、孔部１００の径が係合ピン９６の径よりも若干小さく形成されている。そして、記録可状態のとき、既に係合ピン９６が孔部１００に挿通されている。したがって、ドライブ装置の操作部材１０４が孔部１０２に挿通され、その基部９４を押圧すると、係合ピン９６は孔部１００に摺接しながら前方に移動し、後方への移動が不能となるように保持される。
【００５６】
これにより、記録テープカートリッジ１０における記録不可状態が表示され、ユーザー及びドライブ装置に記録不可であることが認識される。そして、このような構成のライトプロテクト９３も、再度記録可状態へ移動させることができないので、ユーザーによる不正行為が確実に防止される。特に、孔部１０２の径をピンホール程度の小径にすると、上記と同様に、手指では押しづらくなるので、心理的にも不正行為の防止になる。
【００５７】
次に、図１０、図１１で示すライトプロテクト１０６について説明する。このライトプロテクト１０６は、略中央部１０６Ａが薄肉とされた所定厚さの矩形板状に形成され、開口７０から露出するように（開口７０を閉塞するように）、上記係止壁７２、７４と押さえピン７６、７８との間に、移動不能に狭持されている（図１０参照）。この状態が記録可を表示する状態である。なお、この係止壁７２、７４の先端には、それぞれテーパー面７２Ａ、７４Ａが形成されている。
【００５８】
そして、ドライブ装置による記録テープＴへの情報の記録が終了すると、ドライブ装置の押圧部材１０８が、ライトプロテクト１０６の薄肉とされた略中央部１０６Ａを前方に向かって押圧する。すると、図１１で示すように、その略中央部１０６Ａが切断され、ライトプロテクト１０６は、記録不可を表示する状態となる。これにより、記録テープカートリッジ１０における記録不可がユーザー及びドライブ装置に認識される。
【００５９】
なお、このライトプロテクト１０６は、切断されてしまうので、元の状態に必然的に戻れない。したがって、ユーザーの不正行為が確実に防止される。また、このライトプロテクト１０６は、ドライブ装置内で脱落しないように、切断された後も係止壁７２、７４と押さえピン７６、７８との間で狭持されるように構成することが好ましい。
【００６０】
最後に、図１２乃至図１４で示すライトプロテクト１１０について説明する。図１２で示すように、このライトプロテクト１１０は、左右方向に長い所定厚の略矩形板状の本体部１１２を有し、その本体部１１２の中央には、長手方向（左右方向）に沿って所定幅及び所定高さ（後壁１２Ｄの厚さ以下）の隆起部１１４が形成されている。そして、その隆起部１１４の略中央には、略円弧状の凹部１１６が形成されている。
【００６１】
また、凹部１１６よりも左側の本体部１１２には、係止部としての段部１２０が形成されており、その段部（以下「係止部」という）１２０の底面（後壁１２Ｄに対向する面）１１２Ａは傾斜面とされている。また、係止部１２０よりも左側の壁面１１２Ｂ（後壁１２Ｄに対向する面）も、左端面１１８側が低位とされる（平面視で底面１１２Ａと平行な）傾斜面とされている。
【００６２】
一方、図１３で示すように、上ケース１４及び下ケース１６の後壁１２Ｄには、互いの周壁１４Ｂ、１６Ｂが当接したときに、隆起部１１４と略同じ幅の開口１２２が形成されるような切欠部１２４、１２６が形成されている。この開口１２２（切欠部１２４、１２６）は、隆起部１１４の長手方向に長く形成され、開口１２２から隆起部１１４を露出させた状態で、ライトプロテクト１１０が左右方向に所定距離移動可能となるように構成されている。
【００６３】
そして、図１４で示すように、その切欠部１２４、１２６が形成された後壁１２Ｄの左壁１２Ｃ側の内面には、係止部１２０が係止される被係止部１２８が形成されている。この被係止部１２８は、係止部１２０が確実に外れないような構成になっていれば、どのような構成のものでもよい。また、上ケース１４の天板１４Ａ及び下ケース１６の底板１６Ａには、ライトプロテクト１１０を左右方向に移動可能に支持する図示しないリブ等が突設されている。
【００６４】
したがって、このライトプロテクト１１０は、次のように移動する。すなわち、記録可状態のときには、ライトプロテクト１１０は、図１３（Ａ）、図１４（Ａ）で示すように、開口１２２の右端面に隆起部１１４の右端面が当接した状態で位置する。そして、ドライブ装置による記録テープＴへの情報の記録が終了したら、ドライブ装置側の操作部材１３０に形成された略円弧状の凸部１３２が、開口１２２から露出している隆起部１１４の凹部１１６に係合し、ライトプロテクト１１０を左方向に移動させる。
【００６５】
すると、図１３（Ｂ）、図１４（Ｂ）で示すように、隆起部１１４の左端面が開口１２２の左端面に当接するとともに、ライトプロテクト１１０に形成された係止部１２０が後壁１２Ｄに形成された被係止部１２８に係止される。これにより、記録テープカートリッジ１０における記録不可状態が表示され、ユーザー及びドライブ装置に記録不可であることが認識される。また、この係止部１２０は被係止部１２８に一旦係止されると、２度と外れない構成になっている。したがって、ライトプロテクト１１０の記録可状態（右方向）への移動が不能とされ、ユーザーによる不正行為が防止されるようになっている。
【００６６】
以上、何れにしても、ライトプロテクト８０、９２、９３、１０６、１１０をドライブ装置によって自動的に記録可状態から記録不可状態へ変位させられるので、ユーザーに負担が掛かるような不具合はなく、その記録不可状態が確実に表示される。したがって、ＷＯＲＭカートリッジのように、上書き不能とされる記録テープカートリッジ１０の場合に、特に有効となる。
【００６７】
すなわち、ドライブ装置に装填しなくても、ライトプロテクト８０、９２、９３、１０６、１１０の位置を確認するだけで、既に記録済み（追記不能）の記録テープカートリッジ１０であるか、未記録（追記可能）の記録テープカートリッジ１０であるかが、確かな情報として判るので、既に記録済みのＷＯＲＭカートリッジを誤ってドライブ装置に装填してしまうような行為を確実に防止することができる。また、誤ってドライブ装置に装填してしまっても、ライトプロテクト８０、９２、９３、１０６、１１０の位置をドライブ装置側で認識するので、上書きされるような心配がない。
【００６８】
なお、メモリーボードＭとのアクセスにより、記録テープカートリッジ１０がＷＯＲＭカートリッジではないと判断された場合には、ドライブ装置側でライトプロテクト８０、９２、９３、１０６、１１０を操作しないようにすることも可能である。更に、例えばケース１２の形状等からＷＯＲＭカートリッジであることが予め判明している記録テープカートリッジ１０の場合には、メモリーボードＭを省略しても、ライトプロテクト８０、９２、９３、１０６、１１０がドライブ装置に操作されることにより、上書きされるのが防止されるため問題がない。また、この場合には、メモリーボードＭを省略できることから、その分のコストの低減が図れる効果もある。
【図面の簡単な説明】
【００６９】
【図１】記録テープカートリッジの概略斜視図
【図２】記録テープカートリッジの概略分解斜視図
【図３】ドアとケースの開口部分を示す概略斜視図
【図４】記録可状態を表示したライトプロテクトを示す概略斜視図
【図５】ライトプロテクトを移動させる前の状態を示す概略斜視図
【図６】ライトプロテクトを移動させた後の状態を示す概略斜視図
【図７】記録不可状態を表示したライトプロテクトを示す概略斜視図
【図８】（Ａ）別のライトプロテクトを移動させる前の状態を示す概略斜視図、（Ｂ）別のライトプロテクトを移動させた後の状態を示す概略斜視図
【図９】（Ａ）別のライトプロテクトを移動させる前の状態を示す概略斜視図、（Ｂ）別のライトプロテクトを移動させた後の状態を示す概略斜視図
【図１０】記録可状態を表示した別のライトプロテクトを示す概略斜視図
【図１１】記録不可状態を表示した別のライトプロテクトを示す概略斜視図
【図１２】別のライトプロテクトを示す概略斜視図
【図１３】（Ａ）別のライトプロテクトを移動させる前の状態を示す概略斜視図、（Ｂ）別のライトプロテクトを移動させた後の状態を示す概略斜視図
【図１４】（Ａ）別のライトプロテクトを移動させる前の状態を示す概略平面図、（Ｂ）別のライトプロテクトを移動させた後の状態を示す概略平面図
【符号の説明】
【００７０】
１０  記録テープカートリッジ
１２  ケース
１４  上ケース
１６  下ケース
１８  開口
２０  リール
３０  リーダーピン
５０  ドア
７０  開口
７２、７４  係止壁
７６、７８  押さえピン
８０  ライトプロテクト
８２  操作窓
【図１】
2006048758.tif 000003
【図２】
2006048758.tif 000004
【図３】
2006048758.tif 000005
【図４】
2006048758.tif 000006
【図５】
2006048758.tif 000007
【図６】
2006048758.tif 000008
【図７】
2006048758.tif 000009
【図８】
2006048758.tif 000010
【図９】
2006048758.tif 000011
【図１０】
2006048758.tif 000012
【図１１】
2006048758.tif 000013
【図１２】
2006048758.tif 000014
【図１３】
2006048758.tif 000015
【図１４】
2006048758.tif 000016